(57)【要約】【課題】  老人や障害者でも使い易く、介護用ステッキとして最適なウォーキングステッキを提供する。【解決手段】  長尺のシャフト２と、このシャフト２の上端部にＴ字状に取り付けられるグリップ３と、により構成されるウォーキングステッキ１において、シャフト２におけるグリップ３の直下の首下部分に、それより下方のシャフト本体部２ａよりも細い径に形成された細径部２ｂを設ける。このような構成のウォーキングステッキ１では、グリップ３を手で握ったときに指と指の間を通るシャフト２の首下部分が細径部２ｂとなっていることにより、この部分が邪魔とならずにグリップ３を違和感なく握ることができる。【選択図】  図３  
2005124982.tif 000002
【特許請求の範囲】
【請求項１】
長尺のシャフトと、このシャフトの上端部にＴ字状に取り付けられるグリップと、により構成されるウォーキングステッキにおいて、
上記シャフトにおける上記グリップの直下の首下部分に、それより下方のシャフト本体部よりも細い径に形成された細径部を設けたことを特徴とするウォーキングステッキ。
【請求項２】
上記グリップを手で握ったときに人差指と中指の間を上記細径部が通る構造としたことを特徴とする請求項１に記載のウォーキングステッキ。
【請求項３】
上記細径部の径を６〜１２ｍｍとしたことを特徴とする請求項１に記載のウォーキングステッキ。
【請求項４】
上記シャフト本体部と上記細径部との間の段差部分において、角部を曲面に形成したことを特徴とする請求項１に記載のウォーキングステッキ。
【請求項５】
上記細径部を上記シャフト本体部と別体に成形し、両者を嵌め合わせて一体化したことを特徴とする請求項１に記載のウォーキングステッキ。
【請求項６】
上記細径部に、リングを介してストラップを取り付けたことを特徴とする請求項１に記載のウォーキングステッキ。
【請求項７】
上記細径部に、感触を良好とするための部品を装着したことを特徴とする請求項１に記載のウォーキングステッキ。
【発明の詳細な説明】
【技術分野】
【０００１】
本発明はウォーキングステッキに関し、特に介護用ステッキに適用して好適なものである。
【背景技術】
【０００２】
先ず図５において、従来一般のウォーキングステッキの形状を示す。
このウォーキングステッキ１は、シャフト２と、このシャフト２の上端部に取り付けられるグリップ３と、により構成されている。ここでシャフト２は７５〜９０ｃｍの長尺の軽金属製パイプで構成され、このシャフト２の上端部にグリップ３がＴ字状に取り付けられており、使用者はこのグリップ３を手で握り、シャフト２の先端で地面を突きながら歩行するものである。
このようなウォーキングステッキは、主としてトレッキング用に広く普及されているが、近年では老人や障害者のための介護用ステッキとしても用いられてきている。
【発明の開示】
【発明が解決しようとする課題】
【０００３】
しかしながら、上記のような従来のウォーキングステッキでは、シャフトが邪魔となってグリップを握りづらいという問題があった。即ち上記のウォーキングステッキ１を使用する際には、グリップ３を全体的に掴むようにして握るが、このとき指と指の間を通るシャフト２の首下部(グリップ３の直下の部分)が太いため、これが邪魔なってグリップ３を握るのに違和感がある。
このため従来のウォーキングステッキは、特に老人や障害者にとっては使いにくいものであり、これを介護用ステッキとして用いることは困難であった。
【０００４】
本発明は斯かる点に鑑みてなされたもので、構造を工夫することにより老人や障害者でも使い易く、介護用ステッキとして最適なウォーキングステッキを提供することを目的としている。
【課題を解決するための手段】
【０００５】
上記の目的を達成するため本発明は、
長尺のシャフトと、このシャフトの上端部にＴ字状に取り付けられるグリップと、により構成されるウォーキングステッキにおいて、
シャフトにおけるグリップの直下の首下部分に、それより下方のシャフト本体部よりも細い径に形成された細径部を設けてなるものである。
このウォーキングステッキでは、グリップを手で握ったときに人差指と中指の間を細径部が通る構造とし、この細径部の径は６〜１２ｍｍとすることが好ましい。
【発明の効果】
【０００６】
上記の如く構成される本発明のウォーキングステッキは、グリップを手で握ったときに人差指と中指の間を通るシャフトの首下部分が細径部となっていることにより、この部分が邪魔とならずにグリップを違和感なく握ることができる。従って、老人や障害者でも使い易く、介護用ステッキとして最適なウォーキングステッキを提供することができる。
【発明を実施するための最良の形態】
【０００７】
以下、図面を参照しながら本発明の実施例について詳細に説明する。
図１〜図３は本発明の最も好適な実施例を示すもので、図１は本発明によるウォーキングステッキの要部(グリップ周辺部)の側面図、図２はその分解図、図３はグリップを握った状態を示す図である。
【０００８】
図１に示す如く、本発明によるウォーキングステッキ１は、シャフト２と、このシャフト２の上端部に取り付けられるグリップ３と、により構成されている。ここでシャフト２は７５〜９０ｃｍの長尺の軽金属(アルミニウム等)製パイプで構成され、このシャフト２の上端部にグリップ３がＴ字状に取り付けられており、使用者はこのグリップ３を手で握り、シャフト２の先端で地面を突きながら歩行するものである。
尚、図には表れていないが、シャフト２は複数段で構成されて伸縮調整可能となっており、またシャフト２の先端(下端)にはゴム等によりなる滑り止め部材が取り付けられている。またグリップ３は木材あるいは合成樹脂によりなり、使用者の握り易さを考慮した形状に成形されている。
【０００９】
そして特にこのウォーキングステッキ１においては、シャフト２におけるグリップ３の直下の首下部分に、それより下方のシャフト本体部２ａよりも細い径に形成された細径部２ｂが設けられている。寸法的には、シャフト本体部２ａの径Ｒ１が１５〜２０ｍｍであるのに対し、細径部２ｂの径Ｒ２は６〜１２ｍｍに形成されている。またこの細径部２ｂの長さ範囲Ｌは２０〜４０ｍｍ程度である。またこの細径部２ｂとシャフト本体部２ａとの間の段差部分においては、角部２ｃを曲面とした形状に形成してある。
【００１０】
本例ではこの細径部２ｂをシャフト本体部２ａとは別体の細径部材４として成形し、この細径部材４とシャフト本体部２ａを嵌め合わせて一体化した構造となっている。ここでは図２に示す如く、細径部材４の下端に設けられた台柱部４ａをパイプ状のシャフト本体部２ａに隙間なく嵌め込み、これを接着剤で接着固定するようにしてある。細径部材４の台柱部４ａの外周には全周に亘って形成される溝４ｂが上下２箇所に設けられており、この溝４ｂに接着剤を溜めて固定するものである。
尚、この細径部材４とシャフト本体部２ａの固定には、接着の他に螺子込み式や圧入式の構造を採用することもできる。
【００１１】
ここで細径部材４の材料にはアルミニウムが適している。このアルミニウムには、規格２０００番台を使用し、特に２０１１番の快削アルミを切削加工したものが好適に用いられる。この場合、アルミニウムの強度等を考慮すると、細径部の径Ｒ２は１０〜１２ｍｍが適当である。
またこの細径部材４の材料としては、スチールを用いることもできる。この場合は、アルミニウムよりも強度が大きいので、細径部の径Ｒ２を６〜１０ｍｍとすることができる。
【００１２】
またこの細径部材４には表面処理が施されており、この表面処理としては、細径部材４の材料がアルミニウムの場合はアルマイト処理、スチールの場合はメッキ処理が適用される。また細径部材４の表面に染色加工を施してもよい。
【００１３】
この細径部材４の先端(上端)には螺子部５が設けられ、これに対応してグリップ３側には取り付け穴６の奥にナット７が固定されており、このナット７に上記螺子部５を螺合させてシャフト２とグリップ３を固定するものである。尚、このときグリップ３の取り付け穴６からナット７に接着剤を注入しておき、それからナット７に螺子部５を螺合させることにより、シャフト２とグリップ３を一段と強固に固定するようにしている。
【００１４】
さらにこのウォーキングステッキ１においては、細径部２ｂにストラップ８が取り付けられている。このストラップ８はリング９を介して細径部２ｂに取り付けられるようになっており、即ちここではストラップ８の基端部に取り付けられたリング９を組み立て時に細径部２ｂに通して組み込むようにしている。このリング９は、細径部２ｂより大きくかつシャフト本体部２ａより小さい内径に形成されており、このため細径部２ｂから脱落することなくシャフト本体部２ａとグリップ３の間で移動自在に組み込まれるものである。
【００１５】
以上の如く構成される本例のウォーキングステッキ１を使用する際には、図３に示す如くグリップ３を全体的に掴むようにして握る。このとき本例のウォーキングステッキ１では、人差指と中指の間を細径部２ｂが通る構造となっている。
そしてこのようにグリップ３を手で握ったときに人差指と中指の間を通る部分が細径部２ｂとなっていることにより、この部分が邪魔とならずにグリップ３を違和感なく握ることができるので、非常に使い易い。
【００１６】
ここで細径部２ｂの径は、前述した如く６〜１２ｍｍの寸法値が好適である。その理由は、一般にシャフトの径が１２ｍｍを越えるとグリップを握ったときに違和感を覚え、また細径部の径が６ｍｍ未満だと充分な強度を確保できなくなるためである。
【００１７】
また本例のウォーキングステッキ１では、シャフト本体部２ａと細径部２ｂとの間の段差部分において角部２ｃを曲面形状としたことにより、この部分に指が触れた場合でも使用者に不快感を与えることはない。
【００１８】
さらに本例のウォーキングステッキ１においては、細径部２ｂをシャフト本体部２ａとは別体の細径部材４として成形するようにしたので、この部分の加工成形が容易となり、生産効率の向上に大きな効果がある。
【００１９】
さらに本例のウォーキングステッキ１では、細径部２ｂにリング９を介してストラップ８を取り付けることができるので、別にストラップの取り付け部を設ける必要がなく、デザイン的にもすっきりした形状のウォーキングステッキを提供できるものである。
【００２０】
図４は本発明の発展的な実施例を示す。
即ちこの実施例のウォーキングステッキ１は、細径部２ｂに感触を良好とするための部品を装着したものである。この部品としては、例えばゴム等によりなる弾性チューブ１０が好適に用いられ、これを細径部２ｂに嵌め付けて装着してある。
【００２１】
このように細径部２ｂに弾性チューブ１０を装着してなる本例のウォーキングステッキ１では、グリップ３を握ったときに弾性チューブ１０の弾力によって人差指と中指の間に良好な感触が得られ、そのため一段と使い心地のよいウォーキングステッキを提供できるものである。
尚、この感触を良好とするための部品としては、弾性チューブに限ることなく、他にも例えばソフトな感触の布材を用い、これを細径部２ｂに巻き付けた構成とすることもできる。
【図面の簡単な説明】
【００２２】
【図１】本発明によるウォーキングステッキのグリップ周辺部の側面図である。
【図２】同、分解図である。
【図３】同、グリップを握った状態を示す図である。
【図４】同、他の実施例を示す側面図である。
【図５】従来のウォーキングステッキのグリップ周辺部の側面図である。
【符号の説明】
【００２３】
１…ウォーキングステッキ
２…シャフト
２ａ…シャフト本体
２ｂ…細径部
３…グリップ
４…細径部材
８…ストラップ
９…リング
１０…弾性チューブ(感触を良好とするための部品)
【図１】
2005124982.tif 000003
【図２】
2005124982.tif 000004
【図３】
2005124982.tif 000005
【図４】
2005124982.tif 000006
【図５】
2005124982.tif 000007